(57)【要約】【課題】受信機の初期スキャンに対する改善を行い、全ての放送チャンネルのＥＭＭを取得するまでに要する時間を短縮する一方、放送局側からＥＭＭ変更が行われてもこれに対応することが可能なデジタル放送受信機及びデジタル放送受信方法を提供することである。【解決手段】デジタル放送受信機は、デジタル放送信号を受信し、所望のチャンネルを選局可能な複数のチューナと、第１の制御手段と、第２の制御手段とを備える。第１の制御手段は、複数のチューナの内１つのチューナを用いて、チャネルを順次選局して視聴可能なチャネルの情報を取得する第１の初期スキャンを実行する。第２の制御手段は、複数のチューナの内未使用の１つのチューナを用いて、第１の初期スキャンで視聴可能と検知したチャンネルを選局し、ＥＭＭを受信し、受信後次のチャンネルの選局とＥＭＭの受信動作に移行する第２の初期スキャンを実行する。【選択図】図１
2008301292.tif 000002
【特許請求の範囲】
【請求項１】
デジタル放送信号を選局可能な複数のチューナを有するデジタル放送受信機において、
前記複数のチューナのうちの１つのチューナを用いて、チャネルを順次切替えて選局して視聴可能なチャネルの情報を取得する第１の初期スキャンを実行する第１の制御手段と、
前記複数のチューナのうちの使用していない１つのチューナを用いて、前記第１の制御手段による第１の初期スキャンで視聴可能と検知したチャンネルを選局し、そのチャンネルのＥＭＭを受信し、その後に次のチャンネルの選局とＥＭＭの受信動作に移行する第２の初期スキャンを実行する第２の制御手段と、
を備えたことを特徴とするデジタル放送受信機。
【請求項２】
請求項１の受信機の電源起動をトリガとして、前記複数のチューナのうちの使用していない１つのチューナを用いて、前記第１の制御手段による第１の初期スキャンで視聴可能と検知したチャンネルを選局し、スクランブル放送であった場合にはデスクランブル可能かどうかを検知し、デスクランブル可能な場合には、次のチャンネルに移行し、ＥＭＭ更新されていないために生じるデスクランブル不可の場合には、そのチャンネルのＥＭＭを受信し、その後に次のチャンネルに移行する第３の初期スキャンを実行する第３の制御手段、
を備えたことを特徴とする請求項１に記載のデジタル放送受信機。
【請求項３】
前記第２の制御手段による第２の初期スキャンは、ユーザが第１の初期スキャン以外の処理を選択した際に、これをトリガとして実行されることを特徴とする請求項１又は２に記載のデジタル放送受信機。
【請求項４】
前記第２の制御手段による第２の初期スキャンは、ユーザが視聴希望のチャネルを選局操作したときに、これをトリガとして選局に使用するチューナ以外のチューナにて実行されることを特徴とする請求項１又は２に記載のデジタル放送受信機。
【請求項５】
デジタル放送信号を選局可能な複数のチューナを用いたデジタル放送受信方法において、
前記複数のチューナのうちの１つのチューナを用いて、チャネルを順次選局して視聴可能なチャネルの情報を取得する第１の初期スキャンを実行する第１の制御ステップと、
前記複数のチューナのうちの使用していない１つのチューナを用いて、前記第１の制御ステップによる第１の初期スキャンで視聴可能と検知したチャンネルを選局し、そのチャンネルのＥＭＭを受信し、その後に次のチャンネルの選局とＥＭＭの受信動作に移行する第２の初期スキャンを実行する第２の制御ステップと、
を具備したことを特徴とするデジタル放送受信方法。
【発明の詳細な説明】
【技術分野】
【０００１】
本発明は、地上デジタル放送における著作権等の権利保護方式に対応したデジタル放送受信機及びデジタル放送受信方法に関する。
【背景技術】
【０００２】
近年、映像信号及び音声信号をデジタル化して放送するデジタル放送が行われている。デジタル化によって、受信機側でのデータの劣化を生ぜず、受信信号品質を向上させることができる。
【０００３】
ＢＳデジタル放送では、通常の地上波放送とは異なり、有料放送を含んでいる。有料放送においては、放送信号を受信する視聴者を限定するために、放送事業者から放送局（チャンネル）ごとに放送波と共に契約者ごとに契約内容やその有効期限及びワーク鍵を含むＥＭＭ（Entitlement Management Message）と呼ばれる個別情報をマスター鍵で暗号化して送信する。受信機でのＥＭＭの受信は、番組の内容を受信するのに先立って行われる。
【０００４】
受信機には、マスター鍵を記憶したＩＣカードが装着されており、受信した放送波に含まれるＥＭＭを抽出し、そのＥＭＭをマスター鍵で暗号解除して契約内容やその有効期限及びワーク鍵を含む個別情報を復号できる。
【０００５】
有料放送の場合、契約した放送事業者の放送局から送信される番組内容にはスクランブルがかけられている。このスクランブルを解除するための鍵はスクランブル鍵と呼ばれている。スクランブル鍵と番組内容とはワーク鍵によって暗号化されて受信機に送信される。このようにワーク鍵で暗号化された信号はＥＣＭ（Entitlement Control Message）と呼ばれている。
【０００６】
ＥＭＭやＥＣＭを受信し受信機のＩＣカードに書き込むことによって契約内容等を照合して有料放送の番組を受信するデジタル放送の受信技術としては、例えば特許文献１に記載されているデジタル放送受信機がある。
【０００７】
特許文献１は、複数のチューナを有するデジタル放送受信機において、複数のチューナを有効利用するものであって、一のチューナを使用して放送番組の視聴を行うとともに、放送事業者との契約情報を記憶するＩＣカードからの通電制御指示により、ＩＣカードへのＥＭＭ受信処理を他のチューナを使用して実施することで、EMM受信のための消費電力の低減と処理時間短縮を図っている。
【０００８】
ところで、ＡＲＩＢ（社団法人電波産業会）において現在規格化が進められている、無料の地上デジタル放送における著作権等の権利保護方式（以下、地上ＲＭＰという）では、ＩＣカードのようなカードを使わない方式が考えられていて、受信機には予め前述したマスター鍵を書き込んでおく。この場合のマスター鍵としては、有料放送のように個別の受信機単位というのではなくメーカーごと、或いは機種ごとの単位でマスター鍵を同じにしてコントロールされる。なお、地上ＲＭＰ方式に関しては、ＡＲＩＢ標準規格  ＳＴＤ−Ｂ２５  第３部に規格化されている。
【０００９】
一方、地上ＲＭＰでは、無料放送であっても、デジタル放送 という送信形態から受信機でのデータの劣化は無く信号品質が維持されることから、受信機に対して著作権等の権利保護機能を設けることが必要である。
【００１０】
そこで、地上ＲＭＰ（無料放送）では、視聴者と放送局間に契約情報は存在せずかつ有料のための番組を特定する必要もないが、著作権などの権利を保護するための観点から、マスター鍵で暗号化したＥＭＭ（ワーク鍵を含む）を放送信号に多重しかつワーク鍵で暗号化したＥＣＭ（スクランブル鍵を含む）を放送信号に多重して送信する。つまり、有料放送でなくてもコピーコントロール等の権利保護に従わない受信機では受信できず、権利保護に従う受信機のみで限定して受信できるように、受信機側ではマスター鍵やワーク鍵、かつスクランブル放送していればスクランブル鍵が必要とされるようになっている。
【特許文献１】特開２００２−３２５２４０号公報
【非特許文献１】ＡＲＩＢ標準規格  ＳＴＤ−Ｂ２５  第３部
【発明の開示】
【発明が解決しようとする課題】
【００１１】
ところで、ＴＶ放送受信機においては、購入時や引越し時などに、同調周波数を連続的に変えていくことによって、その地域において受信できる視聴可能な放送チャンネルを検出するために初期スキャンが行われる。無料放送の地上ＲＭＰ方式のデジタル放送受信機では、前述したように、まず、ＥＭＭを受信できなければ放送チャンネルを視聴できない。
【００１２】
そのため、受信機購入時や引越し時などには、まず初期スキャンし、放送チャンネルが検出されたらそのチャンネルのＥＭＭが受信できるまではスキャンを一時ホールドしてそのチャンネルを選局し続け、ＥＭＭを取り込み、また次のチャンネルをスキャンしチャンネルが検出されたらそのチャンネルのＥＭＭを取り込むという方法を行うことがまず考えられる。
【００１３】
しかしながら、放送局から送信されるＥＭＭは、無料放送の地上ＲＭＰの場合、例えば１０〜３０秒に１回程度送られてくるようになっており、１チャンネルごとにチャンネル選局とＥＭＭ受信を交互に行っていると、希望のチャンネルを視聴できるまでに時間を要し、その結果全ての視聴可能な放送チャンネルについてＥＭＭを取得するまでは相当な時間を要するという問題がある。
【００１４】
また、前述の特許文献１に記載のデジタル放送受信機では、ＥＭＭ受信のための通電制御について消費電力の低減と通電制御の処理時間の短縮については述べられているが、全ての放送チャンネルのＥＭＭを効率的に取得して全ての放送チャンネルのＥＭＭを取得するまでに要する時間を短縮するための、より合理的な手法についての記載はない。
【００１５】
そこで、本発明はこのような問題に鑑み、受信機の初期スキャンに対する改善を行い、全ての放送チャンネルのＥＭＭを取得するまでに要する時間を短縮する一方、放送局側からの定期的もしくは臨時のＥＭＭ変更が行われてもこれに対応することが可能なデジタル放送受信機及びデジタル放送受信方法を提供することを目的とするものである。
【課題を解決するための手段】
【００１６】
本発明の一態様のデジタル放送受信機は、デジタル放送信号を選局可能な複数のチューナを有するデジタル放送受信機において、前記複数のチューナのうちの１つのチューナを用いて、チャネルを順次選局して視聴可能なチャネルの情報を取得する第１の初期スキャンを実行する第１の制御手段と、前記複数のチューナのうちの使用していない１つのチューナを用いて、前記第１の制御手段による第１の初期スキャンで視聴可能と検知したチャンネルを選局し、そのチャンネルのＥＭＭを受信し、その後に次のチャンネルの選局とＥＭＭの受信動作に移行する第２の初期スキャンを実行する第２の制御手段と、を具備したものである。
【００１７】
本発明の他の態様のデジタル放送受信方法は、デジタル放送信号を選局可能な複数のチューナを用いたデジタル放送受信方法において、前記複数のチューナのうちの１つのチューナを用いて、チャネルを順次選局して視聴可能なチャネルの情報を取得する第１の初期スキャンを実行する第１の制御ステップと、前記複数のチューナのうちの使用していない１つのチューナを用いて、前記第１の制御ステップによる第１の初期スキャンで視聴可能と検知したチャンネルを選局し、そのチャンネルのＥＭＭを受信し、その後に次のチャンネルの選局とＥＭＭの受信動作に移行する第２の初期スキャンを実行する第２の制御ステップと、を具備したものである。
【発明の効果】
【００１８】
本発明によれば、受信機の初期スキャンに対する改善を行い、全ての放送チャンネルのＥＭＭを取得するまでに要する時間を短縮する一方、放送局側からの定期的もしくは臨時のＥＭＭ変更が行われてもこれに対応することが可能なデジタル放送受信機及びデジタル放送受信方法を提供することができる。
【発明を実施するための最良の形態】
【００１９】
発明の実施の形態について図面を参照して説明する。  
図１は本発明の一実施形態のデジタル放送受信機のブロック図を示している。図２はＲＭＰ方式を利用した放送システムのブロック図を示している。
【００２０】
図１のデジタル放送受信機を説明する前に、まず図２の放送システムから説明する。  
図２に示す放送システムは、放送局１と、放送局１からの放送波を送信する放送アンテナ１８と、受信機２と、受信機２の操作手段としてのリモコン送信機（以下、単にリモコンという）４とを備え、放送局１から送信された電波受信機２で受信する。受信機２では、ユーザがリモコン４にて放送信号の中から選択した希望の放送チャンネルを復号し、ＴＶ信号として図示しない表示装置に出力する。
【００２１】
放送局１は、マイクロコンピュータなどで構成される制御手段である制御部１０と、ＴＶ信号をスクランブル（暗号化）して出力するスクランブル部１４と、スクランブル鍵を含むＥＣＭの生成と暗号化を行うＥＣＭ生成／暗号化部１５と、ワーク鍵を含むＥＭＭの生成と暗号化を行うＥＭＭ生成／暗号化部１６と、スクランブルＴＶ信号と暗号化したＥＣＭと暗号化したＥＭＭとを多重する多重化部１７とを備える。
【００２２】
ＴＶ信号をスクランブル部１４にてスクランブルし、スクランブルＴＶ信号と暗号化したＥＣＭと暗号化したＥＭＭと多重化し、その多重化信号を放送アンテナ１８により送信する。
【００２３】
受信機２は、受信アンテナ２１からの放送信号を受信するチューナ２２と、マイクロコンピュータなどで構成される制御手段である制御部２０と、多重化信号を分離する分離部２３と、受信機識別（デバイスＩＤ）の一致したＥＭＭを分離する分離部２４と、デバイスＩＤ部２５と、ＥＣＭの復号とＥＭＭの復号とこれらに基づく視聴可否判定を行うＲＭＰ処理部２６と、視聴可の結果に基づきスクランブルＴＶ信号をデスクランブルするデスクランブラ２７と、デスクランブルされたＴＶ信号のＭＰＥＧ復号を行うＭＰＥＧデコーダ２８と、リモコン４の操作信号を受信するリモコン受信部２９とを備える。
【００２４】
チューナ２２にて受信選局した放送信号から分離部２３及び分離部２４を用いて受信機２が保持するデバイスＩＤとＩＤが一致したＥＭＭを分離し、ＲＭＰ処理部２６にてＥＭＭを復号しかつＥＭＭメモリ２６４に記憶する一方、分離部２３にて分離したＥＣＭを復号し、このＥＣＭと前記復号したＥＭＭを対比して、視聴判定及びスクランブル鍵抽出を行い、デスクランブラ２７にてスクランブルＴＶ信号を解除した後、ＭＰＥＧデコーダ２８で復号してＴＶ信号として出力する。
【００２５】
図２に示すように、放送局１ではＲＭＰ方式に対応した受信機だけが視聴できるように放送番組の信号をスクランブル部１４にてスクランブル（暗号化）して放送する。そのとき、番組をスクランブルする際に使用したスクランブル鍵Ｋｓを含む番組情報（以下ＥＣＭ）をＥＣＭ生成／暗号化部１５にて生成し、多重化部１７にてＴＶ番組に多重し放送する。なお、ＥＣＭは不正ができないように暗号化しており、暗号化に使用する鍵をワーク鍵Ｋｗと呼ぶ。
【００２６】
一方、各受信機２に対してはＥＣＭを復号するために使用するワーク鍵Ｋｗを含む個別情報（以下ＥＭＭ）をＥＭＭ生成／暗号化部１６にて生成し、多重化部１７にて放送信号に多重して放送するようになっている。このＥＭＭも不正ができないようにデバイス鍵Ｋｄにて暗号化している。暗号化に使用するデバイス鍵Ｋｄは受信機２で使用されるＲＭＰ処理部２６にも記憶され放送局１と共有化されている鍵であり、受信機製造時などのタイミングでＲＭＰ処理部２６に書き込まれる（設定される）情報である。
【００２７】
受信機２では、放送局１から送られてくるＥＭＭを分離部２３にて分離し、もう１つの分離部２４にて受信機識別（デバイスＩＤ）の一致したＥＭＭを分離し、さらにＲＭＰ処理部２６内のＥＭＭ復号部２６２にて暗号復号の後、ＥＭＭメモリ２６４に記憶し、番組のＥＣＭとの視聴可否判定に使用する。
【００２８】
一方、ＥＣＭも分離部２３にて分離し、さらにＲＭＰ処理部２６内のＥＣＭ復号部２６１にて暗号復号される。これらＥＣＭ及びＥＭＭを使用して視聴判定の結果、視聴できると判定した場合には、ＥＣＭから番組をデスクランブル（復号化）するためのスクランブル鍵Ｋｓを取り出して、デスクランブラ２７を制御しスクランブル解除した後、ＭＰＥＧデコードして視聴する。
【００２９】
以上説明した放送システムにおいて、ＥＭＭにより定期的もしくは臨時のKw更新を実施することなっているが、使用頻度の低い受信機ではKw更新に追従できず視聴不可の懸念が指摘されている。これは、ＲＭＰ方式においてはKwの更新は各放送局ごとの管理となっており、従って受信機側では、例えば全部で５チャンネルの放送局を視聴可能な地域においては、全５チャンネルのKw更新に追従する必要がある。例えば、チャンネル１で１ヵ月毎にＫｗ更新、チャンネル２で２ヵ月毎にＫｗ更新などの運用を行っている場合には、チャンネル１は１ヵ月毎、チャンネル２は２ヵ月毎にＫｗ更新するＥＭＭを受信できなければ、更新後に選局した場合にＥＭＭを受信するまでの時間（例えばＥＭＭが３０秒に１回程度送られてくるようになっている場合、最大で３０秒程度）はＫｗが合わないため視聴できないことになる。すなわち、使用頻度の低い（受信動作させることの少ない）受信機では、ＥＭＭを受信する機会も少なくなるため、ＥＭＭを受信できないというリスクがあることになる。
【００３０】
一方、今後予定されている無料放送の地上ＲＭＰ方式では、ＥＭＭの送信サイクルがある程度の時間（１０〜３０秒程度）必要とされているほか、チャンネル毎に異なるワーク鍵を利用することが予定されているため、受信機購入時や引越し時などの場合には、全てのチャンネルを視聴できるようになるためにはある程度の時間が掛かることが予想される。
【００３１】
本発明の実施形態においては、無料放送の地上ＲＭＰ方式において、受信機の初期スキャンに対する改善のほか、使用頻度の低い受信機で変更されたＥＭＭを受信する際のリスクに対応する受信機および方法を提供することを目的としている。
【００３２】
図１は本発明の一実施形態に係るデジタル放送受信機の構成を示している。なお、本実施形態のデジタル放送受信機は無料放送の地上ＲＭＰ方式に対応可能なものである。  
図１は複数チューナの例としてチューナを２つ搭載したＴＶ受信機を示している。
【００３３】
図１に示す受信機２Ａは、第１のチューナ２２を備えた第１の処理部と、第２のチューナ２２ａを備えた第２の処理部と、第１又は第２の処理部で復号されたＴＶ信号を選択して図示しない表示装置に出力する選択回路３１とを有して構成されている。
【００３４】
第１の処理部は、受信アンテナ２１からの放送信号を受信する第１のチューナ２２と、マイクロコンピュータなどで構成される制御手段である制御部２０ａと、多重化信号を分離する分離部２３と、受信機識別（デバイスＩＤ）の一致したＥＭＭを分離する分離部２４と、デバイスＩＤ部２５と、ＥＣＭの復号とＥＭＭの復号とこれらに基づく視聴可否判定を行うＲＭＰ処理部２６と、視聴可の結果に基づきスクランブルＴＶ信号をデスクランブルするデスクランブラ２７と、デスクランブルされたＴＶ信号のＭＰＥＧ復号を行うＭＰＥＧデコーダ２８と、リモコン４の操作信号を受信するリモコン受信部２９ａとを備える。なお、制御部２０ａ、リモコン受信部２９ａについては第１及び第２の処理部で共通に使用される。
【００３５】
そして、ＲＭＰ処理部２６は、暗号化したＥＣＭを復号するＥＣＭ復号部２６１と、暗号化したＥＭＭを復号するＥＭＭ復号部２６２と、放送局側と同じデバイス鍵Ｋｄを記憶する鍵Ｋｄメモリ２６３と、復号されたＥＭＭを記憶するＥＭＭメモリ２６４と、ＥＣＭとＥＭＭとを対比して視聴可否の判定を行う視聴可否判定部２６５とを備えている。
【００３６】
第１の処理部においては、第１のチューナ２２にて受信選局した放送信号から分離部２３及び分離部２４を用いてＥＭＭを分離し、ＲＭＰ処理部２６にてＥＭＭを復号しかつＥＭＭメモリ２６４に記憶する一方、分離部２３にて分離したＥＣＭを復号し、そのＥＣＭと前記復号したＥＭＭを対比して、視聴判定及びスクランブル鍵抽出を行い、デスクランブラ２７にてスクランブル放送信号を解除した後、ＭＰＥＧデコーダ２８で復号して第１のＴＶ信号として選択回路３１の一方の入力端に供給する。
【００３７】
第２の処理部は、受信アンテナ２１からの放送信号を受信する第２のチューナ２２ａと、マイクロコンピュータなどで構成される制御手段である制御部２０ａと、多重化信号を分離する分離部２３ａと、受信機識別（デバイスＩＤ）の一致したＥＭＭを分離する分離部２４ａと、デバイスＩＤ部２５ａと、ＥＣＭの復号とＥＭＭの復号とこれらに基づく視聴可否判定を行うＲＭＰ処理部２６ａと、視聴可の結果に基づきスクランブルＴＶ信号をデスクランブルするデスクランブラ２７ａと、デスクランブルされたＴＶ信号のＭＰＥＧ復号を行うＭＰＥＧデコーダ２８ａと、リモコン４の操作信号を受信するリモコン受信部２９ａとを備える。
【００３８】
そして、ＲＭＰ処理部２６ａは、暗号化したＥＣＭを復号するＥＣＭ復号部２６１ａと、暗号化したＥＭＭを復号するＥＭＭ復号部２６２ａと、放送局側と同じデバイス鍵Ｋｄを記憶する鍵Ｋｄメモリ２６３ａと、復号されたＥＭＭを記憶するＥＭＭメモリ２６４ａと、ＥＣＭとＥＭＭとを対比して視聴可否の判定を行う視聴可否判定部２６５ａとを備えている。
【００３９】
第２の処理部においては、第２のチューナ２２ａにて受信選局した放送信号から分離部２３ａ及び分離部２４ａを用いてＥＭＭを分離し、ＲＭＰ処理部２６ａにてＥＭＭを復号しかつＥＭＭメモリ２６４ａに記憶する一方、分離部２３ａにて分離したＥＣＭを復号し、そのＥＣＭと前記復号したＥＭＭを対比して、視聴判定及びスクランブル鍵抽出を行い、デスクランブラ２７ａにてスクランブル放送信号を解除した後、ＭＰＥＧデコーダ２８ａで復号して第２のＴＶ信号として選択回路３１のもう一方の入力端に供給する。
【００４０】
なお、図中、第２のチューナ２２ａ、分離部２３ａ以外のＲＭＰ処理部２６ａ、デスクランブラ２７ａ、ＭＰＥＧデコーダ２８ａも複数（図では２つ）使用する例示となっているが、あくまで機能の例示であり、ＲＭＰ処理部２６、デスクランブラ２７、ＭＰＥＧデコーダ２８の処理能力が入力信号２チャンネル以上を同時に処理する能力を有するものであれば、処理部が１つであっても良い。
【００４１】
次に、図１の受信機での制御部の制御によるＥＭＭ受信のための初期スキャン動作について説明する。  
図３は受信機購入時や引越し時に行う初期スキャン動作を説明するフローチャートを示している。  
図１に示す受信機において、受信機購入時や引越し時に行う初期スキャン動作は（その１）、（その２）の２つで実行される。
【００４２】
まず始めに、第１の初期スキャンである初期スキャン（その１）時には、視聴可能なチャンネルの情報のみを優先して取り込む。その場合に使用するチューナは第１及び第２のチューナのうちのどちらであっても良い。すなわち、受信機の設置している地域において、例えば受信可能なチャンネルが１，３，４，５，６，７，８であった場合に、初期スキャン（その１）時には、当該チャンネルが受信できることを検出することを優先することを意味する。なお、これら１，３，４，５，６，７，８チャンネルのうち、ＲＭＰ方式を実施している放送局のチャンネルについてはＥＭＭを受信しなければ番組を視聴できないが、初期スキャン（その１）時には、視聴可能なチャンネルの情報のみを優先して取り込むようにする。
【００４３】
先ず、ユーザがリモコン４の特定ボタンを操作して（もしくはＴＶの特定メニューにより）初期スキャンの要求を出すことによって（ステップＳ101）、初期スキャン（その１）を実行する。初期スキャン（その１）は、同調周波数を連続的に変えていき、その地域において受信できる視聴可能な放送チャンネルを検出することによって行われる。初期スキャン（その１）を実行することによって検出したチャンネルを制御部２０ａ内の制御部２０ａが管理する図示しないメモリに記憶していく（ステップＳ102）。そして、初期スキャン（その１）が全ての放送チャンネルについて終了したか否かを判定し、終了していればステップＳ104以降へ進む。終了していなければ、ステップＳ102に戻り全ての放送チャンネルについて終了するまで初期スキャンを継続する。
【００４４】
初期スキャン（その１）実行後、ユーザはその他の設定、映像メニューの設定、裏録に使用する機器の設定など、受信機の初期設定を実施することもあれば、或いは、直ちに視聴を開始するために、初期スキャン（その１）で検出できたチャンネルの中から、希望するチャンネルの視聴動作、すなわちチャンネルの指定を行うこともある。
【００４５】
本実施形態においては、初期スキャン（その１）を実施後に、上記のように希望するチャンネルの視聴動作に入る、或いは他の設定を行うなど、ユーザが初期スキャン（その１）以外の処理を選択した際に、初期スキャン（その２）を自動で実行する。
【００４６】
初期スキャン（その２）に入る前に、使用していないチューナがあるか否かを確認する（ステップＳ104）。使用していないチューナがあれば、その未使用のチューナを用いて初期スキャン（その２）を実行する（ステップＳ105）。
【００４７】
第２の初期スキャンである初期スキャン（その２）では、ユーザが使用していないチューナを利用し、初期スキャン（その１）で検知したチャンネルを選局し（ステップＳ106）、そのチャンネルのＥＭＭを受信し（ステップＳ107）、そのＥＭＭを受信後に、ステップＳ108での全チャンネルのＥＭＭを受信したか否かを確認することによって、次のチャンネルの選局とＥＭＭの受信動作に移行する。全チャンネルのＥＭＭを受信していなければ、ステップＳ106へリターンして、全チャンネルのＥＭＭを受信するまでステップＳ106からステップＳ108の各ステップを繰り返す。
【００４８】
このようにすることで、以下のような効果が期待できる。  
１）初期スキャン時間の短縮が可能となる。初期スキャン（その１）においては視聴可能なチャンネル検出を連続的に行えばよいので、１つのチャンネルの選局とその選局したチャンネルのＥＭＭ受信とを交互に行う方法（この方法は発明が解決しようとする課題で述べもの）に比べて時間が省略できる。すなわちＥＭＭの送出周期は数秒から数十秒とされており、このＥＭＭの送出周期の時間に関わり無くチャンネル検出を連続的に行うことができる。もしも、１つのチャンネルについてチャンネル選局とＥＭＭ受信を交互に行う方法を用いると、チャンネル検出の後もその検出チャンネルにつきＥＭＭの送出周期に相当する時間だけ選局状態を継続する必要があり、ＥＭＭ受信までの待ち時間が多くなる。言い換えれば、ＲＭＰ方式（スクランブル及び暗号化による権利保護方式）を実施している場合でも、ユーザから見てＲＭＰ方式を実施していない場合と同様の時間で初期スキャンを終了させることができる。
【００４９】
２）初期スキャン（その２）によって、ユーザが使用していない（例えば視聴していない）チューナを利用し、ＥＭＭの自動受信を実施する。このため、初期スキャン（その１）において検出できた例えば１，３，４，５，６，７，８チャンネルのうち、８チャンネルを視聴している間に、残りの１，３，４，５，６，７チャンネルのＥＭＭを自動的に受信できるため、次に１，３，４，５，６，７チャンネルのいずれか（どれでも可）を選局した際にＥＭＭの受信待ちをすることなく視聴可能となる。
【００５０】
図４は複数チューナを搭載した受信機において、長期間視聴しなかったためにＥＭＭの更新が出来ておらず、視聴不可となる不都合を改善するための初期スキャン動作を説明するフローチャートを示している。
【００５１】
図４では、受信機は例えば電源起動時に、初期スキャン（その３）を自動で実施する。電源起動をトリガとして初期スキャン（その３）を自動で実施することも特徴である。
【００５２】
まず、リモコン４の電源ボタンの操作に基づいて電源投入がなされたか否かを判定する（ステップＳ201）。  
電源投入がなされていれば、使用していないチューナがあるか否かを確認する（ステップＳ202）。使用していないチューナがあれば、初期スキャン（その３）を実行する（ステップＳ203）。
【００５３】
第３の初期スキャンである初期スキャン（その３）では、ユーザが使用していないチューナを利用し、初期スキャン（その１）で視聴可能と検知したチャンネルを選局し（ステップＳ204）、スクランブル放送であった場合にはデスクランブル可能かどうかを検知する（ステップＳ205）。言い換えれば、その放送チャンネルについてＥＭＭの変更がなかったか否かを検知する。デスクランブル可能な場合（即ちＥＭＭの変更がなかった場合）には、ステップＳ207へ移行し、全チャンネルのＥＭＭを受信したか否かの確認を行い、全チャンネルのＥＭＭ受信が終了していなければ、ステップＳ204へリターンして、次のチャンネルに移行する。ステップＳ205でＥＭＭが変更されていたにも関わらずＥＭＭ更新されていないために生じるデスクランブル不可の場合には、ＥＭＭを受信し（ステップＳ206）、ＥＭＭを受信後にステップＳ207の全チャンネルのＥＭＭ受信か否かの確認を行い、全チャンネルのＥＭＭ受信が終了していなければ、ステップＳ204へリターンして、次のチャンネルに移行する。ステップＳ207で全チャンネルのＥＭＭ受信が確認されれば、終了する。
【００５４】
このようにすることで、受信機を長期間視聴していなかったためにＥＭＭの更新ができず、視聴不可となる不都合を改善することができる。
【００５５】
なお、ユーザが複数のチューナを全て使用している場合、例えば２つのチューナを搭載した受信機において、第１のチューナでテレビジョン放送番組を視聴しており、第２のチューナで裏番組録画している場合には、初期スキャン（その３）は実施しない。
【図面の簡単な説明】
【００５６】
【図１】本発明の一実施形態のデジタル放送受信機を示すブロック図。
【図２】ＲＭＰ方式を利用した放送システムを示すブロック図。
【図３】受信機購入時や引越し時に行う初期スキャン動作を説明するフローチャート。
【図４】複数チューナを搭載した受信機において、長期間視聴しなかったためにＥＭＭの更新が出来ておらず、視聴不可となる不都合を改善するための初期スキャン動作を説明するフローチャート。
【符号の説明】
【００５７】
４…リモコン（操作手段）
１０，２０，２０ａ…制御部（制御手段）
１４…スクランブル部
１６…ＥＭＭ生成／暗号化部
２１…受信アンテナ
２２，２２ａ…チューナ
２３，２４…分離部
２７…デスクランブラ
２６２…ＥＭＭ復号部
２６５…視聴可否判定部
【図１】
2008301292.tif 000003
【図２】
2008301292.tif 000004
【図３】
2008301292.tif 000005
【図４】
2008301292.tif 000006